(57)【要約】【課題】ＤＳＢ受信からＳＳＢ受信への切替時に、出力レベルの大きさや周波数特性の違いによる不連続感が生じないノイズ除去回路を提供する。【解決手段】検出部が受信妨害を検出しない場合、抽出部は、搬送波と第１中間周波信号と第２中間周波信号を抽出するとともに、切替部は、検波部の出力を出力し、検出部が前記受信妨害を検出した場合、前記抽出部は、前記搬送波と前記第１中間周波信号、前記搬送波と前記第２中間周波信号、の一方を抽出するとともに、前記切替部は、前記音質補正部の出力を出力する。【選択図】図１
2005286788.tif 000002
【特許請求の範囲】
【請求項１】
受信信号から得られる中間周波信号のうち、搬送波の周波数より高い周波数帯域の第１中間周波信号と、前記搬送波の周波数より低い周波数帯域の第２中間周波信号との検波レベルの差分に基づいて受信妨害を検出する検出部と、
前記搬送波と前記第１中間周波信号、前記搬送波と前記第２中間周波信号、前記搬送波と前記第１中間周波信号と前記第２中間周波信号、の何れかを、前記検出部の出力に応じて抽出する抽出部と、
前記抽出部の出力を検波する検波部と、
前記検波部の出力を所定の特性に補正する音質補正部と、
前記検波部の出力と、前記音質補正部の出力とを前記検出部の出力に応じて切り替えて出力する切替部と、
を備え、
前記検出部が前記受信妨害を検出しない場合、
前記抽出部は、前記搬送波と前記第１中間周波信号と前記第２中間周波信号を抽出するとともに、前記切替部は、前記検波部の出力を出力し、
前記検出部が前記受信妨害を検出した場合、
前記抽出部は、前記搬送波と前記第１中間周波信号、前記搬送波と前記第２中間周波信号、の一方を抽出するとともに、前記切替部は、前記音質補正部の出力を出力する、
ことを特徴とするノイズ除去回路。
【請求項２】
前記音質補正部は、
前記検波部の出力を増幅する増幅部と、
前記増幅部の出力の低域側の周波数成分を減衰させる低域抑圧フィルタと、
を備え、前記検波部の出力である音声信号を補正して出力することを特徴とする請求項１に記載のノイズ除去回路。
【請求項３】
前記検出部は、
前記第１中間周波信号を抽出する第１帯域フィルタと、
前記第１帯域フィルタの出力レベルを検波する第１レベル検波部と、
前記第２中間周波信号を抽出する第２帯域フィルタと、
前記第２帯域フィルタの出力レベルを検波する第２レベル検波部と、
前記第１レベル検波部の出力と第２レベル検波部の出力の差分と、所定の閾値との大小比較を行う比較部と、
を備え、
前記比較部は、
前記差分が前記閾値より大である場合に前記受信妨害であることを示す検出信号を出力することを特徴とする請求項１または２に記載のノイズ除去回路
【請求項４】
前記抽出部は、
入力信号を所定期間経過後に出力する複数の遅延回路と、
任意の乗算係数で前記複数の遅延回路の出力を乗算する複数の乗算回路と、
前記乗算回路の出力を加算する少なくとも１つの加算回路と、
前記検出部の出力に応じて前記乗算回路の前記乗算係数を設定する係数設定部と、
を備え、
前記検出部の出力に応じて前記乗算係数を変更することで、前記搬送波と前記第１中間周波信号、前記搬送波と前記第２中間周波信号、前記搬送波と前記第１中間周波信号と前記第２中間周波信号、の何れかを抽出することを特徴とする請求項１乃至３の何れかに記載のノイズ除去回路。
【請求項５】
前記抽出部は、
前記検出部の出力が、前記差分が前記閾値より大きく、かつ、前記第１中間周波信号が前記第２中間周波信号より大きいことを示す場合、前記搬送波と前記第２中間周波信号を抽出し、
前記検出部の出力が、前記差分が前記閾値より大きく、かつ、前記第２中間周波信号が前記第１中間周波信号より大きいことを示す場合、前記搬送波と前記第１中間周波信号を抽出する、
ことを特徴とする請求項３または４に記載のノイズ除去回路。
【請求項６】
前記抽出部は、
前記検出部の出力が、前記差分が前記閾値より小さいことを示す場合、前記搬送波と前記第１中間周波信号と前記第２中間周波信号を抽出することを特徴とする請求項３乃至５の何れかに記載のノイズ除去回路。
【発明の詳細な説明】
【技術分野】
【０００１】
本発明は、ノイズ除去回路に関する。
【背景技術】
【０００２】
振幅変調（ＡＭ）は、音声信号などの変調信号で搬送波の振幅を変化させる方式である。このとき、変調信号で搬送波を振幅変調すると、搬送波の両側に受信信号の周波数成分に対応する側波の集まりができる。この側波の集まりは変調信号に様々な周波数成分が含まれているために発生するものであり、この側波の集まりを側帯波（ｓｉｄｅ  ｂａｎｄ）という。また、搬送波より高い周波数成分の側帯波を上側帯波（ｕｐｐｅｒ  ｓｉｄｅ  ｂａｎｄ：以下、ＵＳＢとする）といい、搬送波より低い周波数成分の側帯波を下側帯波（ｌｏｗｅｒ  ｓｉｄｅ  ｂａｎｄ：以下、ＬＳＢとする）という。
【０００３】
また、振幅変調時に発生したこの両方の側帯波を受信する方式を両側帯波（ｄｏｕｂｌｅ  ｓｉｄｅ  ｂａｎｄ：以下、ＤＳＢとする）受信という。  
なお、このＵＳＢ、ＬＳＢは、変調信号の周波数成分に基づいた信号が搬送波に対して対称に形成される。そのため、ＵＳＢまたはＬＳＢの片方を用いた検波を行って受信することも可能である。ＵＳＢまたはＬＳＢの片側を用いた受信方式を単側帯波（ｓｉｎｇｌｅ  ｓｉｄｅ  ｂａｎｄ：以下、ＳＳＢとする）受信という。
【０００４】
このように、振幅変調では搬送波の両側に側帯波があるので、一方の側帯波が、隣接する放送局との他方の側帯波と重なると、一方の側帯波の信号レベルが増加する。そのため、隣接局の側帯波の影響による隣接妨害が発生する。しかし、この隣接妨害の発生において、隣接妨害を受けていない側帯波をＳＳＢ受信すると効果的に隣接妨害を防止することができる。
【０００５】
そこで、ノイズ除去回路は、両側帯波の信号レベルの比較に基づいて隣接妨害の有無を検出し、一方の側帯波に隣接妨害を検出するとＤＳＢ受信から、隣接妨害を受けていない側のＳＳＢ受信に切り替えを行う（例えば、特許文献１参照）。
【０００６】
図６は、ＤＳＢ受信およびＳＳＢ受信について説明するための図である。  
変調信号で周波数ｆｃ（例えば４５０ｋＨｚ）の搬送波を振幅変調すると、図６のようにｆｃの搬送波より高い周波数に、変調信号の周波数に応じて、ＵＳＢが生成され、ｆｃの搬送波より低い周波数に、変調信号の周波数に応じて、ＬＳＢが生成される。このとき、変調信号のうち、低域の周波数（例えば５００Ｈｚ）をｆａとし、ｆａより高い周波数（例えば１ｋＨｚ）をｆｂとすると、ｆｃより高い周波数にはｆｃ＋ｆａ、ｆｃ＋ｆｂに応じたＵＳＢが生成され、ｆｃより低い周波数にはｆｃ−ｆａ、ｆｃ−ｆｂに応じたＬＳＢが生成されることになる。
【０００７】
ＤＳＢ受信を行う場合には、例えば実線ａのフィルタ特性で、ＵＳＢとＬＳＢと搬送波を抽出し、その抽出した信号を検波する。  
また、一方の側帯波の信号レベルが大きくなり隣接妨害を検出した場合、搬送波と他方の側帯波を抽出してＳＳＢ受信を行うと、隣接妨害の影響が少ない受信を行うことができる。
【特許文献１】特開平６−２７６０２７号公報
【発明の開示】
【発明が解決しようとする課題】
【０００８】
ＳＳＢ受信を行う際、搬送波が全て抽出されないとＡＭ検波の特性が悪くなる。そこでＳＳＢ受信の抽出には、例えば図６の点線ｂのようなフィルタ特性でＵＳＢとｆｃの搬送波を抽出する。このとき、急峻なフィルタ特性のフィルタを用いても、図６のように本来使用したくないＬＳＢの帯域の成分（例えばｆｃ−ｆａ）も抽出してしまう。したがって、抽出されるＩＦ信号は、変調信号のうち低域側の周波数成分の信号を多く含んでいることになる。
【０００９】
このようなフィルタ特性によって抽出したＩＦ信号で検波を行うと、低域成分が大きい音声信号が出力される。
【００１０】
また、ＳＳＢ受信では側帯波の片側だけを抽出しているので、ＤＳＢ受信に比べて、検波出力のレベルが半分になる。
【００１１】
図７は、ＤＳＢ受信とＳＳＢ受信の出力レベル特性の一例を示す図である。横軸は周波数、縦軸は出力レベルを示している。点線で示すＳＳＢ受信では、実線で示すＤＳＢ受信に比べ、出力レベルが小さくなるとともに、低域の周波数で出力レベルが増加している。
【００１２】
このように、従来のノイズ除去回路では、ＤＳＢとＳＳＢの出力レベル特性が異なるため、ＤＳＢ受信からＳＳＢ受信への切替時に、出力の不連続感が生じた。
【００１３】
本発明は、ＤＳＢ受信からＳＳＢ受信への切替時に、出力レベルの大きさや周波数特性の違いによる出力の不連続感を無くすことができるノイズ除去回路を提供することを目的とする。
【課題を解決するための手段】
【００１４】
本発明に係る主たる発明は、受信信号から得られる中間周波信号のうち、搬送波の周波数より高い周波数帯域の第１中間周波信号と、前記搬送波の周波数より低い周波数帯域の第２中間周波信号との検波レベルの差分に基づいて受信妨害を検出する検出部と、前記搬送波と前記第１中間周波信号、前記搬送波と前記第２中間周波信号、前記搬送波と前記第１中間周波信号と前記第２中間周波信号、の何れかを、前記検出部の出力に応じて抽出する抽出部と、前記抽出部の出力を検波する検波部と、前記検波部の出力を所定の特性に補正する音質補正部と、前記検波部の出力と、前記音質補正部の出力とを前記検出部の出力に応じて切り替えて出力する切替部と、を備え、前記検出部が前記受信妨害を検出しない場合、前記抽出部は、前記搬送波と前記第１中間周波信号と前記第２中間周波信号を抽出するとともに、前記切替部は、前記検波部の出力を出力し、前記検出部が前記受信妨害を検出した場合、前記抽出部は、前記搬送波と前記第１中間周波信号、前記搬送波と前記第２中間周波信号、の一方を抽出するとともに、前記切替部は、前記音質補正部の出力を出力することを特徴とする。
【００１５】
本発明の他の特徴については、添付図面及び本明細書の記載により明らかとなる。
【発明の効果】
【００１６】
本発明によれば、受信妨害を検出した場合、中間周波信号の抽出帯域を変更するとともに検波部の出力を所定の特性に補正するので、出力の不連続感を無くすことができる。
【発明を実施するための最良の形態】
【００１７】
以下の本発明の実施の形態では、ＡＭ受信機に本発明のノイズ除去回路を適用した場合について説明する。
【００１８】
＝＝＝ＡＭ受信機構成＝＝＝
図１は、本発明のノイズ除去回路１００を使用したＡＭ受信機の構成の一例を示すブロック図である。同図に示すＡＭ受信機は、フロントエンド（以下ＦＥとする）部１０、ＩＦ部１２、ノイズ除去回路１００、低周波増幅回路２２を備えている。
【００１９】
ＦＥ部１０は、アンテナ１で受信した受信信号を、次段のＩＦ部１２で必要とするレベルの信号になるように増幅する。このとき、目的以外の信号やノイズなどの雑音を増幅しないように、目的とする受信信号やその受信信号が含まれる周波数帯域に限定した増幅を行う。
【００２０】
ＩＦ部１２は、搬送波周波数の変換を行う機能を有し、受信信号周波数を周波数変換するための局部発振信号を出力する局部発振回路（不図示）と、受信信号と局部発振信号とを混合する混合回路（不図示）と、を備えている。そしてＩＦ部１２は、受信信号を所定の中間周波数（例えば、４５０ｋＨｚ）に変換する。さらにその中間周波数を中心周波数とするバンドパスフィルタ（ＢＰＦ：不図示）によって所望の信号のみ抽出し、その後、増幅回路（不図示）で増幅し、ＩＦ信号として出力する。ここで、中間周波数を４５０ｋＨｚとしたが、ＦＭチューナと回路の一部を共用する場合、一旦１０、７ＭＨｚにアップコンバートし、ＦＭチューナのＩＦ信号と中間周波数を揃えてもよい。
【００２１】
ノイズ除去回路１００は、ＩＦ部１２から出力されるＩＦ信号から隣接妨害の有無を検出し、隣接妨害（『受信妨害』）を検出した場合、ＤＢＳ受信からＳＳＢ受信に切り替えて検波を行い、検波結果である音声信号を補正する。なお、ノイズ除去回路１００は、ＩＦフィルタ１４、検波部１６、音質補正部１８、切替部２０、隣接妨害検出部２４、フィルタ係数設定部２６を備えている。  
ＩＦフィルタ１４は、ＩＦ信号のうち、搬送波とＵＳＢ（『第１中間周波信号』）、搬送波とＬＳＢ（『第２中間周波信号』）、搬送波とＵＳＢとＬＳＢ、の何れかを隣接妨害検出部２４の出力に応じて抽出する。  
検波部１６は、ＩＦ信号から搬送波成分を取り除き、もとの変調信号である音声信号を出力する。この検波部１６として、例えばＰＬＬ（位相同期ループ）を用いた同期検波を用いることができる。  
音質補正部１８は検波部１６の出力を所定の特性に補正する。  
切替部２０は、検波部１６の出力である音声信号と音質補正部１８で音質補正された音声信号とを隣接妨害検出部２４の検出出力に応じて切り替えて出力する。  
隣接妨害検出部２４（『検出部』）は、ＩＦ信号のうち、ＵＳＢとＬＳＢとの検波レベルの差分に基づいて隣接妨害を検出する。  
フィルタ係数設定部２６（『係数設定部』）は、隣接妨害検出部２４の出力に応じて、後述するＩＦフィルタ１４の乗算係数を設定する。このフィルタ係数設定部２６とＩＦフィルタ１４との組み合わせで（『抽出部』）、隣接妨害検出部２４の出力に応じて、ＩＦ信号から、搬送波とＵＳＢ、搬送波とＬＳＢ、搬送波とＵＳＢとＬＳＢ、の何れかを抽出することができる。  
低周波増幅回路２２は、ノイズ除去回路１００の出力を増幅するとともにスピーカー３に必要な電力を供給する。
【００２２】
以上の構成のＡＭ受信機において、アンテナ１で受信された受信信号は、フロントエンド部１０で高周波域が増幅され、ＩＦ部１２で中間周波数変換が行われＩＦ信号となる。ＩＦ信号は、隣接妨害検出部２４に入力され、ＵＳＢとＬＳＢの検波レベルの差分に基づいて隣接妨害の検出が行われる。  
隣接妨害検出部２４が隣接妨害を検出しない場合、フィルタ係数設定部２６は、ＩＦフィルタ１４にＩＦ信号から搬送波とＵＳＢとＬＳＢを抽出するための係数を設定する。検波部１６は、ＩＦフィルタ１４で抽出されたＩＦ信号を検波し、音声信号を出力する。音声信号は、切替部２０から出力され、低周波増幅回路２２で増幅されてスピーカー３から出力される。  
一方、隣接妨害検出部２４が隣接妨害を検出した場合、フィルタ係数設定部２６は、ＩＦフィルタ１４にＩＦ信号から搬送波とＵＳＢ、搬送波とＬＳＢの何れかを抽出するための係数を設定する。ＩＦフィルタ１４で抽出されたＩＦ信号は、検波部１６で検波され音声信号となり、音質補正部１８で所定の特性に補正される。そして音質補正部１８で補正された音声信号は切替部２０から出力され、低周波増幅回路２２で増幅されてスピーカー３から出力される。
【００２３】
＝＝＝隣接妨害検出部２４の構成＝＝＝
図２は、本発明のノイズ除去回路１００の隣接妨害検出部２４の構成の一例を示すブロック図である。  
隣接妨害検出部２４は、バンドパスフィルタ（以下、ＢＰＦとする）３０、３４、レベル検波部３２、３６、比較部３８を備えている。  
ＢＰＦ３０（『第１帯域フィルタ』）は、ＩＦ信号から、搬送波周波数より高い周波数のＵＳＢを抽出する。  
レベル検波部３２（『第１レベル検波部』）は、ＢＰＦ３０の出力のレベル検波を行う。  
ＢＰＦ３４（『第２帯域フィルタ』）は、ＩＦ信号から、搬送波周波数より低い周波数のＬＳＢを抽出する。  
レベル検波部３６（『第２レベル検波部』）は、ＢＰＦ３４の出力のレベル検波を行う。  
比較部３８は、レベル検波部３２およびレベル検波部３６の出力の差分と、所定の閾値との比較を行い、隣接妨害の検出を行う。
【００２４】
次に、隣接妨害検出部２４の動作について説明する。  
比較部３８は、レベル検波３２の出力であるＵＳＢのレベルとレベル検波部３６の出力であるＬＳＢのとの比較を行うとともにその差分と所定の閾値との比較を行う。  
比較の結果、差分が閾値より小さい場合、隣接妨害が発生していないと判定する。このとき、切替部２０は、検波部１６の出力である音声信号を出力し、フィルタ係数設定部２６は、ＩＦフィルタ１４にＩＦ信号から搬送波とＵＳＢとＬＳＢを抽出する乗算係数を設定する。  
一方、比較の結果、差分が閾値より大きく、レベル検波部３６の出力がレベル検波３２の出力より大きいことを検出した場合、比較部３８は、隣接妨害検出を示す検出信号を出力する。この検出信号によって、切替部２０は音質補正部２０の出力に切り替え、また、フィルタ係数設定部２６はＩＦフィルタ１４にＩＦ信号から搬送波とＵＳＢを抽出する乗算係数を設定する。  
また、比較の結果、差分が閾値より大きく、レベル検波部３２の出力がレベル検波３６の出力より大きいことを検出した場合、比較部３８は、隣接妨害検出を示す検出信号を出力する。この検出信号によって、切替部２０は音質補正部２０の出力に切り替え、また、フィルタ係数設定部２６はＩＦフィルタ１４にＩＦ信号から搬送波とＬＳＢを抽出する乗算係数を設定する。
【００２５】
＝＝＝ＩＦフィルタ１４の構成＝＝＝
図５は、ＩＦフィルタ１４の構成の一例を示すブロック図である。ＩＦフィルタ１４には、例えば図５で示すＩＩＲ（Ｉｎｆｉｎｉｔｅ  Ｉｍｐｕｌｓｅ  Ｒｅｓｐｏｎｓｅ）フィルタを用いることができる。
【００２６】
ＩＦフィルタ１４は、入力信号をサンプリングの周期単位ごと（『所定期間』）に信号を遅延して出力する遅延回路Ｄ１〜Ｄ６と、入力信号および遅延回路Ｄ１〜Ｄ４の出力と対応した任意の乗算係数ａ１〜ａ６を有し、入力した信号に乗算係数を乗算して出力する乗算回路Ａ１〜Ａ６と、遅延回路Ｄ３〜Ｄ６の出力と対応した任意の乗算係数ｂ２、ｂ３、ｂ５、ｂ６を有し、入力した信号に乗算係数を乗算して出力するフィードバック用乗算回路Ｂ２、Ｂ３、Ｂ５、Ｂ６と、乗算回路Ａ１〜Ａ３の出力および乗算回路Ｂ２、Ｂ３の出力を加算して出力する加算回路５０と、乗算回路Ａ４〜Ａ６の出力および乗算回路Ｂ５、Ｂ６の出力を加算して出力する加算回路５２と、を備えている。
【００２７】
入力信号Ｘｎ（ｎは、サンプル数）は、遅延回路Ｄ１、Ｄ２で、それぞれ１サンプル周期ずつ遅延され、対応する乗算回路Ａ１〜Ａ３でそれぞれａ１〜ａ３の乗算係数が乗算される。  
そして、乗算回路Ａ１〜Ａ３の出力は、加算回路５０で、乗算回路Ｂ２、Ｂ３の出力とともに加算され加算回路５０の出力信号Ｙｎとして出力される。  
出力信号Ｙｎは、遅延回路Ｄ３、Ｄ４で、それぞれ１サンプル周期ずつ遅延され、対応する乗算回路Ｂ２、Ｂ３でそれぞれｂ２、ｂ３の乗算係数が乗算される。  
乗算回路Ｂ２、Ｂ３の出力は、加算回路５０で、乗算回路Ａ１〜Ａ３の出力とともに加算され加算回路５０の出力信号Ｙｎとして出力される。  
加算回路５２側の乗算回路Ａ４〜Ａ６、Ｂ５、Ｂ６、および遅延回路Ｄ３〜Ｄ６も同様の動作を行うので、便宜上説明を省略する。
【００２８】
以上、説明したように、ＩＦフィルタ１４として用いられるＩＩＲフィルタには、加算回路５０から出力された信号が、遅延回路、乗算回路を通過した後、再度加算回路５０に戻るフィードバックがある。このようなＩＩＲフィルタは、少ない次数で所望の特性が実現できる。また、このＩＦフィルタ１４の乗算係数ａ１〜ａ６、ｂ２、ｂ３、ｂ５、ｂ６の設定によって、フィルタの周波数特性を任意に変更することができる。  
なお、フィルタ係数設定部２６には、ＩＦフィルタ１４が、ＩＦ信号から、搬送波とＵＳＢ、搬送波とＬＳＢ、搬送波とＵＳＢとＬＳＢ、を抽出するための乗算係数ａ１〜ａ６、ｂ２、ｂ３、ｂ５、ｂ６が予め設定されている。  
そして、ＩＦフィルタ１４は、フィルタ係数設定部２６によって乗算係数ａ１〜ａ６、ｂ２、ｂ３、ｂ５、ｂ６が設定され、ＩＦ信号から、搬送波とＵＳＢ、搬送波とＬＳＢ、搬送波とＵＳＢとＬＳＢ、の何れかの抽出を行う。  
なお、本発明の実施の形態では、ＩＦフィルタ１４をＩＩＲフィルタとしたが、他のフィルタ、例えばＦＩＲフィルタを用いてもよい。また、図５の構成以外のＩＩＲフィルタを用いてもよい。
【００２９】
＝＝＝音質補正部１８の構成＝＝＝
図３は、本発明のノイズ除去回路１００における音質補正部１８の構成の一例を示すブロック図である。  
音質補正部１８は、検波部１６の出力である音声信号を増幅率ａで増幅する増幅部４０と、増幅部４０の出力の低域側の周波数成分を減衰させるハイパスフィルタ（ＨＰＦ）４２（『低域抑圧フィルタ』）とを備えている。  
増幅部４０の増幅率ａは、ＳＳＢの検波出力の大きさをＤＳＢの検波出力の大きさに合わせるための値として、例えば２が設定される。  
ＳＳＢ受信において、音質補正部１８に入力された検波部１６の出力である音声信号は、増幅部４０で、例えば２倍に増幅され、その後、低域側の周波数成分がＨＰＦ４２で減衰されて出力される。
【００３０】
図４は、本発明のノイズ除去回路１００でＳＳＢ受信を行った時の、音質補正部１８で補正された音声信号の出力レベルの特性を示す図である。本発明のノイズ除去回路１００では、図７のＳＳＢ受信の特性で発生した低域成分の増加が無く、出力レベルも図７のＤＳＢ受信と同等となる。したがって、ＤＳＢ受信時の検波部１６から出力される音声信号から、ＳＳＢ受信時の音質補正部１８で補正した音声信号に切り替えを行っても、切替時に出力の不連続感は生じない。
【００３１】
以上、説明したように、本発明のノイズ除去回路１００は、ＤＳＢ受信からＳＳＢ受信への切り替え時に、ＳＳＢ受信の出力特性を補正することで、出力の不連続感を無くすことができる。  
この補正は、音質補正部１８の増幅部４０で、ＳＳＢ受信の信号の大きさをＤＳＢ受信とほぼ等しくなるように増幅し、ＨＰＦ４２によって低域のブーストを抑えるという簡素な構成で実現することができる。  
また、隣接妨害検出部２４でＵＳＢのレベル検波とＬＳＢのレベル検波との差分と、閾値との大小比較を行うことで、隣接妨害の発生を検出することができる。
【００３２】
さらに、ＩＦフィルタ１４の乗算係数の設定を変更することでＩＦフィルタ１４の周波数特性を変更することができ、フィルタ係数設定部２６の出力に応じて、ＩＦ信号から、搬送波とＵＳＢ、搬送波とＬＳＢ、搬送波とＵＳＢとＬＳＢ、の何れかの抽出を行うことができる。  
そして、隣接妨害発生時に、妨害の発生していない側帯波側を選択してＳＳＢ受信することで隣接妨害の影響を受けずに受信することができ、隣接妨害が発生していない場合、通常のＤＳＢ受信を行うことができる。
【００３３】
以上、本実施の形態について、その実施の形態に基づき具体的に説明したが、これに限定されるものではなく、その要旨を逸脱しない範囲で種々変更可能である。
【図面の簡単な説明】
【００３４】
【図１】本発明のノイズ除去回路を使用したＡＭ受信機のブロック図である。
【図２】本発明のノイズ除去回路の隣接妨害検出部の構成を示すブロック図である。
【図３】本発明のノイズ除去回路の音質補正部の構成を示すブロック図である。
【図４】本発明のノイズ除去回路のＳＳＢ受信の出力レベル特性を示す図である。
【図５】ＩＦフィルタの構成を示すブロック図である。
【図６】ＤＳＢ受信およびＳＳＢ受信について説明するための図である。
【図７】ＤＳＢ受信とＳＳＢ受信の出力レベル特性を示す図である。
【符号の説明】
【００３５】
１０  ＦＥ部
１２  ＩＦ部
１４  ＩＦフィルタ
１６  検波部
１８  音質補正部
２０  切替部
２２  低周波増幅部
２４  隣接妨害検出部
２６  フィルタ係数設定部
３０、３４  ＢＰＦ
３２、３６  レベル検波部
３８  比較部
４０  増幅部
４２  ＨＰＦ
５０、５２  加算回路
１００  ノイズ除去回路
【図１】
2005286788.tif 000003
【図２】
2005286788.tif 000004
【図３】
2005286788.tif 000005
【図４】
2005286788.tif 000006
【図５】
2005286788.tif 000007
【図６】
2005286788.tif 000008
【図７】
2005286788.tif 000009